(57)【要約】  【課題】操作者の簡単な動作で、情報端末に提供するサービスを切り替える。  【解決手段】中継装置１は、ワイヤレス充電台１０に載置された情報端末２の載置状態に基づいて情報端末２に対するサービスを決定し、無線通信を介して情報端末２に、決定したサービスを提供する。具体的には、情報端末２の載置状態が充電エリア１０Ａへの載置を示しているならば、プライベート用のネットワーク接続サービスを情報端末２に対する提供サービスに決定し、ＷＡＮ３への接続処理を行って、情報端末２をＷＡＮ３に接続する。一方、情報端末２の載置状態が充電エリア１０Ｂへの載置を示しているならば、ビジネス用のネットワーク接続サービスを情報端末２に対する提供サービスに決定し、ＷＡＮ３およびＶＰＮ４への接続処理を行って、情報端末２を、ＶＰＮ４と接続するＬＡＮ５に接続する。【選択図】図１
2014175808.tif 000002
【特許請求の範囲】
【請求項１】
情報端末にサービスを提供するサービス提供装置であって、
載置台に載置された前記情報端末と通信する通信手段と、
前記情報端末の前記載置台における載置状態を検出する載置状態検出手段と、
前記載置状態検出手段により検出された前記載置状態に基づいて、前記情報端末に提供するサービスを決定する提供サービス決定手段と、
前記通信手段を介して前記情報端末に、前記提供サービス決定手段により決定された前記サービスを提供するサービス提供手段と、を有する
ことを特徴とするサービス提供装置。
【請求項２】
請求項１に記載のサービス提供装置であって、
それぞれ異なるネットワークに接続する複数のネットワーク接続手段を有し、
前記サービス提供手段は、
前記提供サービス決定手段により決定された前記サービスが、所定のネットワークへの接続サービスを含むならば、当該所定のネットワークに接続する前記ネットワーク接続手段と前記通信手段との間を中継して、前記情報端末を当該所定のネットワークに接続する
ことを特徴とするサービス提供装置。
【請求項３】
請求項１または２に記載のサービス提供装置であって、
複数の記憶手段をさらに有し、
前記サービス提供手段は、
前記提供サービス決定手段により決定された前記サービスが、前記複数の記憶手段のいずれか一つの記憶手段への接続サービスを含むならば、当該一つの記憶手段と前記通信手段との間を中継して、前記情報端末を当該所定の記憶手段に接続する
ことを特徴とするサービス提供装置。
【請求項４】
請求項１ないし３のいずれか一項に記載のサービス提供装置であって、
前記載置台は、複数の載置エリアを有し、
前記載置状態検出手段は、
前記情報端末が載置されている載置エリアの情報を前記載置状態として検出する
ことを特徴とするサービス提供装置。
【請求項５】
請求項１ないし４のいずれか一項に記載のサービス提供装置であって、
前記載置状態検出手段により検出された前記載置状態に関する情報および前記提供サービス決定手段により決定された前記サービスに関する情報の少なくとも一方を、前記通信手段を介して前記情報端末に通知する情報通知手段をさらに有する
ことを特徴とするサービス提供装置。
【請求項６】
サービス提供装置による情報端末へのサービス提供方法であって、
前記サービス提供装置は、
載置台に載置された前記情報端末の載置状態を検出し、
当該検出された載置状態に基づいて、前記情報端末に提供するサービスを決定し、
当該決定したサービスを、前記情報端末との通信を介して当該情報端末に提供する
ことを特徴とする情報端末へのサービス提供方法。
【発明の詳細な説明】
【技術分野】
【０００１】
本発明は、情報端末へのサービス提供技術に関し、特に、情報端末に提供するサービスを自動的に切り換える技術に関する。
【背景技術】
【０００２】
特許文献１には、車載装置との間で、ハンズフリー電話のための無線通信を行う携帯端末装置の電力消費を抑えることができる車載システムが開示されている。この車載システムは、携帯端末装置あるいは車載装置の現在地を検出し、この現在地が、自宅位置、車両が走行する経路の目的地あるいは経由地等の予め登録された特定位置を示しているならば、操作者が車両（車載装置）から離れて携帯端末装置を単独使用するものと判断して、携帯端末装置の車載装置との無線通信機能（ハンズフリー電話機能）を無効にする。これにより、消費電力を削減する。
【先行技術文献】
【特許文献】
【０００３】
【特許文献１】特開２０１２−１６９７９２号公報
【発明の概要】
【発明が解決しようとする課題】
【０００４】
近年、スマートホン、タブレット端末等の情報端末がビジネスで利用されるようになってきており、これに伴い、一台の情報端末をビジネスおよびプライベートの両方で利用するケースが増えてきている。この場合、セキュリティ等の理由により、ビジネスおよびプライベートで利用サービスを使い分けることが好ましいが、その変更を手動で行うことは、非常に煩わしく非効率であるという問題がある。
【０００５】
なお、特許文献１に記載の技術を情報端末の利用サービス変更に応用することも可能である。しかし、この技術は、携帯端末装置あるいは車載装置の現在地に基づいて無線通信機能の有効無効を切り替える技術であり、テレワーク等の、地理的に同じ位置で情報端末がビジネスおよびプライベートの両方に利用されるケースには対応できない。
【０００６】
本発明は上記事情に鑑みてなされたものであり、その目的は、操作者の簡単な動作で、情報端末に提供するサービスを切り替える技術を提供することにある。
【課題を解決するための手段】
【０００７】
上記課題を解決するために、本発明において、サービス提供装置は、載置台に載置された情報端末の載置状態を検出し、この検出結果に基づいて、情報端末に提供するサービスを決定する。そして、決定したサービスを、情報端末との通信を介して、この情報端末に提供する。
【０００８】
例えば、本発明は、情報端末にサービスを提供するサービス提供装置であって、
載置台に載置された前記情報端末と通信する通信手段と、
前記情報端末の前記載置台における載置状態を検出する載置状態検出手段と、
前記載置状態検出手段により検出された前記載置状態に基づいて、前記情報端末に提供するサービスを決定する提供サービス決定手段と、
前記通信手段を介して前記情報端末に、前記提供サービス決定手段により決定された前記サービスを提供するサービス提供手段と、を有する。
【発明の効果】
【０００９】
本発明によれば、情報端末の載置台への載置状態（置き場所、置き方等）を変更するだけで、情報端末に提供するサービスを自動的に切り替えることができるので、操作者は、簡単な動作で、情報端末に提供するサービスを切り替えることが可能となる。
【図面の簡単な説明】
【００１０】
【図１】図１は、本発明の一実施の形態に係る通信システムの概略図である。
【図２】図２は、本発明の一実施の形態に係る通信システムの、情報端末２が充電エリア１０Ａに載置された場合における動作例を説明するためのシーケンス図である。
【図３】図３は、本発明の一実施の形態に係る通信システムの、情報端末２が充電エリア１０Ｂに載置された場合における動作例を説明するためのシーケンス図である。
【図４】図４は、中継装置１の概略機能構成図である。
【図５】図５は、中継装置１の動作を説明するためのフロー図である。
【発明を実施するための形態】
【００１１】
以下に、本発明の一実施の形態について説明する。
【００１２】
図１は、本実施の形態に係る通信システムの概略図である。
【００１３】
図示するように、本実施の形態に係る通信システムにおいて、中継装置１は、スマートホン、タブレット端末等の情報端末２との無線通信機能を備え、インターネット等のＷＡＮ３に接続されるとともに、ＷＡＮ３上に構築されたＶＰＮ（Ｖｉｒｔｕａｌ  Ｐｒｉｖａｔｅ  Ｎｅｔｗｏｒｋ）４を介して、社内ＬＡＮ、宅内ＬＡＮ、構内ＬＡＮ等のＬＡＮ５にも接続される。なお、ＬＡＮ５の代わりに、通信キャリア、自治体等が運営する閉域網に接続されてもよい。
【００１４】
また、中継装置１は、少なくとも２つの充電エリア１０Ａ、１０Ｂを備えたワイヤレス充電台１０を有しており、このワイヤレス充電台１０に載置された情報端末２をワイヤレスで充電するとともに、無線通信を介してこの情報端末２に、ワイヤレス充電台１０における情報端末２の載置状態（充電エリア１０Ａに載置されているか、それとも充電エリア１０Ｂに載置されているか）に基づいて、プライベート用のネットワーク接続サービス、あるいはビジネス用のネットワーク接続サービスを提供する。
【００１５】
本実施の形態では、情報端末２が充電エリア１０Ａに載置されている場合に、プライベート用のネットワーク接続サービスが情報端末２に提供され、情報端末２が充電エリア１０Ｂに載置されている場合に、ビジネス用のネットワーク接続サービスが情報端末２に提供される。また、中継装置１は、プライベート用のネットワーク接続サービスでは、ＷＡＮ３に情報端末２を接続し、ビジネス用のネットワーク接続サービスでは、ＷＡＮ３およびＶＰＮ４を介してＬＡＮ５に情報端末２を接続する。
【００１６】
図２は、本実施の形態に係る通信システムの、情報端末２が充電エリア１０Ａに載置された場合における動作例を説明するためのシーケンス図である。
【００１７】
まず、情報端末２は、中継装置１から定期的に送信されるビーコン信号等の受信強度に基づいて、自情報端末２が中継装置１の無線通信エリアに進入していることを検出すると（Ｓ１００）、中継装置１から応答を受信するまで、自情報端末２の認証情報（ＩＤ、パスワード等）を含む帰属要求を中継装置１に対して定期的に送信する（Ｓ１０１）。一方、中継装置１は、情報端末２がワイヤレス充電台１０に載置されるまで、この帰属要求を無視する。
【００１８】
つぎに、操作者により中継装置１のワイヤレス充電台１０の充電エリア１Ａに情報端末２が載置されたものとする（Ｓ１０２）。これを受けて、中継装置１は、ワイヤレス充電台１０の充電エリア１０Ａに情報端末２が載置されたことを検出する（Ｓ１０３）。そして、情報端末２が帰属要求を送信したならば（Ｓ１０４）、中継装置１は、これを受信して、この帰属要求に含まれている認証情報を、自中継装置１に予め登録されている認証情報と照合して認証処理を行う。そして、認証成立したならば、中継装置１は、帰属処理を行って、この情報端末２を自中継装置１に帰属させ（Ｓ１０５）、それから、情報端末２に帰属許可を通知する（Ｓ１０６）。
【００１９】
つぎに、中継装置１は、情報端末２と連携して、ワイヤレス充電台１０の充電エリア１０Ａによる情報端末２のワイヤレス充電を開始する（Ｓ１０７）。情報端末２のワイヤレス充電台１０に対する載置状態が充電エリア１０Ａへの載置であるため、中継装置１は、情報端末２に提供するネットワーク接続サービスとしてプライベート用のネットワーク接続サービスを決定する。そして、プライベート用のネットワーク接続サービスに従い、ＰＰＰｏＥ（Ｐｏｉｎｔ  ｔｏ  Ｐｏｉｎｔ  Ｐｒｏｔｏｃｏｌ  ｏｖｅｒ  Ｅｔｈｅｒｎｅｔ（Ｅｔｈｅｒｎｅｔは登録商標））等の通信プロトコルによりＷＡＮ３への接続処理を行い（Ｓ１０８）、情報端末２とＷＡＮ３との間の中継処理を開始する（Ｓ１０９）。さらに、中継装置１は、情報端末２に、ワイヤレス充電台１０に対する情報端末２の載置状態（充電エリア１０Ａに載置）を送信する（Ｓ１１０）。
【００２０】
さて、情報端末２は、中継装置１から情報端末２の載置状態を受信すると、この載置状態が充電エリア１０Ａへの載置を示していることを確認し、プライベート用の設定アプリケーションであるＷｅｂブラウザを起動する（Ｓ１１１）。これにより、操作者は、Ｗｅｂブラウザを介してＷＡＮ３上のサイトを閲覧することができる。
【００２１】
図３は、本発明の一実施の形態に係る通信システムの、情報端末２が充電エリア１０Ｂに載置された場合における動作例を説明するためのシーケンス図である。
【００２２】
まず、情報端末２は、中継装置１から定期的に送信されるビーコン信号等の受信強度に基づいて、中継装置１の無線通信エリアに自情報端末２が進入していることを検出すると（Ｓ１２０）、中継装置１から応答を受信するまで、自情報端末２の認証情報を含む帰属要求を中継装置１に対して定期的に送信する（Ｓ１２１）。一方、中継装置１は、情報端末２がワイヤレス充電台１０に載置されるまで、この帰属要求を無視する。
【００２３】
つぎに、操作者により中継装置１のワイヤレス充電台１０の充電エリア１Ｂに情報端末２が載置されたものとする（Ｓ１２２）。これを受けて、中継装置１は、ワイヤレス充電台１０の充電エリア１０Ｂに情報端末２が載置されたことを検出する（Ｓ１２３）。そして、情報端末２が帰属要求を送信したならば（Ｓ１２４）、中継装置１は、これを受信して、この帰属要求に含まれている認証情報を、自中継装置１に予め登録されている認証情報と照合して認証処理を行う。そして、認証成立したならば、中継装置１は、帰属処理を行って、この情報端末２を自中継装置１に帰属させ（Ｓ１２５）、それから、情報端末２に帰属許可を通知する（Ｓ１２６）。
【００２４】
つぎに、中継装置１は、情報端末２と連携して、ワイヤレス充電台１０の充電エリア１０Ｂによる情報端末２のワイヤレス充電を開始する（Ｓ１２７）。情報端末２のワイヤレス充電台１０に対する情報端末２の載置状態が充電エリア１０Ｂへの載置であるため、中継装置１は、情報端末２に提供するネットワーク接続サービスとしてビジネス用のネットワーク接続サービスを決定する。そして、ビジネス用のネットワーク接続サービスに従い、ＰＰＰｏＥ等の通信プロトコルによりＷＡＮ３への接続処理を行うとともに（Ｓ１２８）、ＩＰＳｅｃ（Ｓｅｃｕｒｉｔｙ  Ａｒｃｈｉｔｅｃｔｕｒｅ  ｆｏｒ  Ｉｎｔｅｒｎｅｔ  Ｐｒｏｔｏｃｏｌ）等の暗号通信プロトコルにより、ＷＡＮ３上に構築され、ＬＡＮ５と接続するＶＰＮ４への接続処理を行い（Ｓ１２９）、情報端末２とＬＡＮ５との間の中継処理を開始する（Ｓ１３０）。さらに、中継装置１は、情報端末２に、ワイヤレス充電台１０に対する情報端末２の載置状態（充電エリア１０Ｂに載置）を送信する（Ｓ１３１）。
【００２５】
さて、情報端末２は、中継装置１から情報端末２の載置状態を受信すると、この載置状態が充電エリア１０Ｂへの載置を示していることを確認し、ビジネス用の設定アプリケーションであるシンクライアントプログラムを起動する（Ｓ１３２）。これにより、操作者は、シンクライアントプログラムを介して、ＬＡＮ５内のシンクライアントサーバが提供する各種サービスを利用することができる。
【００２６】
つぎに、中継装置１の詳細を説明する。なお、情報端末２は、ワイヤレス充電機能を備え、かつ、中継装置１から情報端末２の載置状態を受信する手段および受信した載置状態に基づいてプログラムを起動する手段を有するものならば、スマートホン、タブレット端末等、どのような情報端末でも用いることができるので、その詳細な説明を省略する。
【００２７】
図４は、中継装置１の概略機能構成図である。
【００２８】
図示するように、中継装置１は、ワイヤレス充電台１０と、無線インターフェース部１１と、有線インターフェース部１２と、充電制御部１３と、認証・帰属処理部１４と、載置状態送信部１５と、提供サービス決定部１６と、ＷＡＮ接続処理部１７と、ＶＰＮ接続処理部１８と、中継制御部１９と、を備えている。
【００２９】
ワイヤレス充電台１０は、情報端末２をワイヤレスで充電するための充電台であり、充電エリア１０Ａに載置された情報端末２をワイヤレスで充電するワイヤレス充電部１０１Ａと、充電エリア１０Ｂに載置された情報端末２をワイヤレスで充電するワイヤレス充電部１０１Ｂと、を有する。
【００３０】
無線インターフェース部１１は、無線を介して情報端末２と通信するためのインターフェースであり、有線インターフェース部１２は、有線を介してＷＡＮ３と通信するためのインターフェースである。
【００３１】
充電制御部１３は、ワイヤレス充電部１０１Ａ、１０１Ｂによる充電を制御する。また、充電制御部１３は、ワイヤレス充電部１０１Ａ、１０１Ｂ（充電エリア１０Ａ、１０Ｂ）と情報端末２との電気的な接続を検出することにより、情報端末２の載置状態（充電エリア１０Ａに載置されているか、充電エリア１０Ｂに載置されているか、それともいずれの充電エリア１０Ａ、１０Ｂにも載置されていないか）を検出する。なお、情報端末２の載置状態の検出は、例えば、充電エリア１０Ａ、１０Ｂから光を出力して、充電エリア１０Ａ、１０Ｂに載置された情報端末２によるその反射光を検出する光学センサ、充電エリア１０Ａ、１０Ｂに対する荷重を機械的に検出する機械センサ、充電エリア１０Ａ、１０Ｂから電磁波を出力して、充電エリア１０Ａ、１０Ｂに載置された情報端末２によるその反射波を検出する電磁波センサ等を用いて行うようにしてもよい。
【００３２】
認証・帰属処理部１４は、情報端末２がワイヤレス充電台１０の充電エリア１０Ａ、１０Ｂに載置されている場合（充電制御部１３で検出された載置状態が、充電エリア１０Ａあるいは充電エリア１０Ｂに情報端末２が載置されていることを示している場合）に、無線インターフェース部１１を介して情報端末２から帰属要求を受信し、この帰属要求に含まれている認証情報を、予め登録されている認証情報と照合することにより認証処理を行う。そして、情報端末２に対する認証が成立したならば、帰属処理を行って、この情報端末２を自中継装置１に帰属させるとともに、無線インターフェース部１１を介してこの情報端末２に帰属許可を送信する。
【００３３】
載置状態送信部１５は、認証・帰属処理部１４によって自中継装置１に帰属した情報端末２に、無線インターフェース部１１を介して、充電制御部１３により検出された情報端末２の載置状態を送信する。
【００３４】
提供サービス決定部１６は、充電制御部１３により検出された情報端末２の載置状態に基づいて、認証・帰属処理部１４によって自中継装置１に帰属した情報端末２に提供するサービスを決定する。具体的には、情報端末２の載置状態が充電エリア１０Ａへの載置を示している場合、プライベート用のネットワーク接続サービスを、情報端末２に対する提供サービスに決定し、情報端末２の載置状態が充電エリア１０Ｂへの載置を示している場合、ビジネス用のネットワーク接続サービスを、情報端末２に対する提供サービスに決定する。
【００３５】
ＷＡＮ接続処理部１７は、中継制御部１９の指示に従い、有線インターフェース部１２を介して、ＰＰＰｏＥ等の通信プロトコルによりＷＡＮ３への接続処理を行って、ＷＡＮ３と接続する。
【００３６】
ＶＰＮ接続処理部１８は、中継制御部１９の指示に従い、ＷＡＮ接続処理部１７および有線インターフェース部１２を介して、ＩＰＳｅｃ等の暗号通信プロトコルによりＶＰＮ４への接続処理を行って、ＶＰＮ４と接続する。
【００３７】
中継制御部１９は、提供サービス決定部１６により決定されたネットワーク接続サービスを提供する。具体的には、提供サービス決定部１６により決定されたネットワーク接続サービスがプライベート用のネットワーク接続サービスである場合、ＷＡＮ接続処理部１７にＷＡＮ３の接続処理を行わせてＷＡＮ３に接続させるとともに、ＷＡＮ接続処理部１７と無線インターフェース部１１との間を中継する。これにより、自中継装置１に帰属している情報端末２をＷＡＮ３に接続する。また、提供サービス決定部１６により決定されたネットワーク接続サービスがビジネスト用のネットワーク接続サービスである場合、ＷＡＮ接続処理部１７にＷＡＮ３の接続処理を行わせてＷＡＮ３に接続させ、かつＶＰＮ接続処理部１８にＶＰＮ４の接続処理を行わせてＶＰＮ４に接続させるとともに、ＶＰＮ接続処理部１８と無線インターフェース部１１との間を中継する。これにより、自中継装置１に帰属している情報端末２を、ＶＰＮ４と接続するＬＡＮ５に接続する。
【００３８】
図５は、中継装置１の動作を説明するためのフロー図である。
【００３９】
まず、充電制御部１３は、ワイヤレス充電台１０の充電エリア１０Ａ、１０Ｂのいずれか一方に情報端末２が載置されたことを検出すると（Ｓ２００でＹＥＳ）、その旨を認証・帰属処理部１４に通知する。これを受けて、認証・帰属処理部１４は、無線インターフェース部１１を介して情報端末２から帰属要求が送られてくるのを待つ（Ｓ２０１）。そして、情報端末２から帰属要求を受信したならば（Ｓ２０１でＹＥＳ）、この帰属要求に含まれている認証情報を、予め登録されている認証情報と照合することにより認証処理を行う（Ｓ２０２）。
【００４０】
この認証処理が不成立となった場合（Ｓ２０３でＮＯ）、認証・帰属処理部１４は、無線インターフェース部１１を介して情報端末２に帰属拒否を送信する（Ｓ２０４）。その後、Ｓ２００に戻る。
【００４１】
一方、この認証処理が成立した場合（Ｓ２０３でＹＥＳ）、認証・帰属処理部１４は、帰属処理を行って、情報端末２を自中継装置１に帰属させるとともに、無線インターフェース部１１を介して情報端末２に帰属許可を送信する（Ｓ２０５）。また、その旨を充電制御部１３に通知する。これを受けて、充電制御部１３は、提供サービス決定部１６に、情報端末２のワイヤレス充電台１０に対する載置状態を通知して提供サービス決定を指示するとともに、載置状態送信部１５に、この載置状態を通知して、自中継装置１に帰属させた情報端末２への送信を指示する。
【００４２】
つぎに、提供サービス決定部１６は、充電制御部１３から提供サービス決定の指示を受け付けると、この指示とともに充電制御部１３から受け取った情報端末２の載置状態に基づいて、情報端末２に対する提供サービスを決定する（Ｓ２０６）。具体的には、情報端末２の載置状態が充電エリア１０Ａへの載置を示している場合、プライベート用のネットワーク接続サービスを情報端末２に対する提供サービスに決定し、情報端末２の載置状態が充電エリア１０Ｂへの載置を示している場合、ビジネス用のネットワーク接続サービスを情報端末２に対する提供サービスに決定する。そして、決定した提供サービスを中継制御部１９に通知する。
【００４３】
ここで、提供サービス決定部１６によりプライベート用のネットワーク接続サービスが情報端末２に対する提供サービスとして決定された場合（Ｓ２０６で「プライベート」）、中継制御部１９は、ＷＡＮ接続処理部１７にＷＡＮ３との接続処理を行わせてＷＡＮ３に接続させるとともに（Ｓ２０７）、ＷＡＮ接続処理部１７と無線インターフェース部１１との間を中継する。これにより、自中継装置１に帰属している情報端末２をＷＡＮ３に接続する（Ｓ２０８）。
【００４４】
一方、提供サービス決定部１６によりビジネス用のネットワーク接続サービスが情報端末２に対する提供サービスとして決定された場合（Ｓ２０６で「ビジネス」）、中継制御部１９は、ＷＡＮ接続処理部１７にＷＡＮ３との接続処理を行わせてＷＡＮ３に接続させ（Ｓ２０９）、かつＶＰＮ接続処理部１８にＶＰＮ４との接続処理を行わせてＶＰＮ４に接続させるとともに（Ｓ２１０）、ＶＰＮ接続処理部１８と無線インターフェース部１１との間を中継する。これにより、自中継装置１に帰属している情報端末２をＶＰＮ４と接続するＬＡＮ５に接続する（Ｓ２１１）。
【００４５】
また、載置状態送信部１５は、充電制御部１３から自中継装置１に帰属している情報端末２への載置状態の送信指示を受け付けると、この指示とともに充電制御部１３から受け取った情報端末２載置状態を、無線インターフェース部１１を介してこの情報端末２に送信する（Ｓ２１２）。
【００４６】
その後、充電制御部１３は、ワイヤレス充電台１０の充電エリア１０Ａ、１０Ｂのいずれかに載置されていた情報端末２がワイヤレス充電台１０から取り外されたことを検出すると（Ｓ２１３でＹＥＳ）、その旨を提供サービス決定部１６に通知する。これを受けて、提供サービス決定部１６は、情報端末２に対するサービス提供終了を決定し、その旨を中継制御部１９に通知する。中継制御部１９は、提供サービス決定部１６から受け付けたサービス提供終了の指示に従い、ネットワーク接続サービスを終了して（Ｓ２１４）、Ｓ２００に戻る。具体的には、情報端末２に対する提供サービスがプライベート用のネットワーク接続サービスの場合は、ＷＡＮ接続処理部１７にＷＡＮ３との接続を切断させるとともに、無線インターフェース部１１およびＷＡＮ接続処理部１７間の中継を終了する。また、情報端末２に対する提供サービスがビジネス用のネットワーク接続サービスの場合は、ＶＰＮ接続処理部１８にＶＰＮ４との接続を切断させ、かつＷＡＮ接続処理部１７にＷＡＮ３との接続を切断させるとともに、無線インターフェース部１１およびＶＰＮ接続処理部１８間の中継を終了する。
【００４７】
以上、本発明の一実施の形態を説明した。
【００４８】
本実施の形態において、中継装置１は、ワイヤレス充電台１０に載置された情報端末２の載置状態を検出し、この検出した載置状態に基づいて、情報端末２に対する提供サービスを決定する。そして、無線通信を介して情報端末２に、決定したサービスを提供する。具体的には、情報端末２の載置状態が充電エリア１０Ａへの載置を示している場合、プライベート用のネットワーク接続サービスを情報端末２に対する提供サービスに決定し、情報端末２の載置状態が充電エリア１０Ｂへの載置を示している場合、ビジネス用のネットワーク接続サービスを情報端末２に対する提供サービスに決定する。そして、決定された提供サービスがプライベート用のネットワーク接続サービスならば、ＷＡＮ３への接続処理を行って、情報端末２をＷＡＮ３に接続する。また、決定された提供サービスがビジネスト用のネットワーク接続サービスならば、ＷＡＮ３およびＶＰＮ４への接続処理を行って、情報端末２をＶＰＮ４と接続するＬＡＮ５に接続する。
【００４９】
このように本実施の形態によれば、情報端末２のワイヤレス充電台１０への置き場所（充電エリア１０Ａ、１０Ｂ）を変更するだけで、情報端末２に対するサービス（プライベート用のネットワーク接続サービス、ビジネス用のネットワーク接続サービス）を自動的に切り替えることができる。このため、操作者は、簡単な動作で、情報端末２に対する提供サービスを切り替えることが可能となる。
【００５０】
また、本実施の形態において、中継装置１は、情報端末２がワイヤレス充電台１０に載置された場合に、無線通信を介して情報端末２にその載置状態を通知する。このため、情報端末２は、中継装置１から通知された自身の載置状態に基づいて、起動するアプリケーションを決定することが可能となり、情報端末２の使い勝手が向上する。
【００５１】
なお、本発明は上記の実施の形態に限定されるものではなく、その要旨の範囲内で数々の変形が可能である。
【００５２】
例えば、上記の実施の形態において、ワイヤレス充電台１０の充電エリアを３以上設け、これに応じて中継装置１が情報端末２に提供するサービスを３種以上としてもよい。
【００５３】
また、上記の実施の形態において、中継装置１は、情報端末２のワイヤレス充電台１０への置き場所（充電エリア１０Ａ、１０Ｂ）を載置状態として検出しているが、本発明はこれに限定されない。情報端末２のワイヤレス充電台１０への置き方（縦置き、横置き等の姿勢）を情報端末２の載置状態として検出してもよい。なお、情報端末２のワイヤレス充電台１０への置き方は、例えばデジタルカメラで撮像した、情報端末２が載置されたワイヤレス充電台１０の画像データに画像認識処理を施すことにより特定してもよいし、モーションセンサーの検出結果を情報端末２に問い合わせることによって特定してもよい。
【００５４】
また、上記の実施の形態において、中継装置１は、ワイヤレス充電台１０に載置された情報端末２にプライベート用あるいはビジネス用のネットワーク接続サービスを提供している。しかし、情報端末２に提供するサービスは、ネットワーク接続サービスに限定されない。ネットワーク接続サービスに代えて、あるいはネットワーク接続サービスに加えて他のサービスを提供してもよい。
【００５５】
例えば、中継装置１に、プライベート用およびビジネス用の記憶エリアを備えた記憶部を設ける。そして、ワイヤレス充電台１０に載置された情報端末２の載置状態に基づいて決定された情報端末２に対する提供サービスがプライベート用のサービスならば、上述のプライベート用のネットワーク接続サービスに加え、プライベート用のストレージサービスを情報端末２に提供させる。すなわち、中継制御部１９に、無線インターフェース部１１とプライベート用の記憶エリアとの間を中継させて、無線通信を介して情報端末２にプライベート用の記憶エリアへのアクセスを許可する。また、決定された情報端末２に対する提供サービスがビジネス用のサービスならば、上述のビジネス用のネットワーク接続サービスに加え、ビジネス用のストレージサービスを情報端末２に提供させる。すなわち、中継制御部１９に、無線インターフェース部１１とビジネス用の記憶エリアとの間を中継させて、無線通信を介して情報端末２にビジネス用の記憶エリアへのアクセスを許可する。
【００５６】
また、上記の実施の形態において、中継装置１は、自中継装置１に帰属した情報端末２に載置状態を通知しているが、本発明はこれに限定されない。情報端末２の載置状態に代えて、この載置状態に基づいて決定された情報端末２に対する提供サービスの内容を通知してもよい。
【００５７】
また、上記の実施の形態において、中継装置１は、情報端末２のワイヤレス充電台１０への載置状態を検出しているが、本発明は、情報端末２の載置台への載置状態を検出するものであればよい。載置台は、ワイヤレス充電台でなくても構わない。
【００５８】
また、上記の実施の形態において、図４に示す中継装置１の機能構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実現されるものでもよいし、あるいはＤＳＰ（Ｄｉｇｉｔａｌ  Ｓｉｇｎａｌ  Ｐｒｏｃｅｓｓｏｒ）などの計算機によりソフトウエア的に実現されるものでもよい。または、ＣＰＵ、メモリ、ＨＤＤ、ＤＶＤ−ＲＯＭ等の補助記憶装置、およびモデム、ＮＩＣ（Ｎｅｔｗｏｒｋ  Ｉｎｔｅｒｆａｃｅ  Ｃａｒｄ）等の通信インターフェースを備えたＰＣ（Ｐｅｒｓｏｎａｌ  Ｃｏｍｐｕｔｅｒ）等の汎用コンピュータにおいて、ＣＰＵが所定のプログラムを補助記憶装置からメモリ上にロードして実行することにより実現されるものでもよい。
【００５９】
また、上記の実施の形態では、載置台に載置された情報端末２をＷＡＮ３あるいはＬＡＮ５に接続する中継装置１に適用した場合を例にとり説明した。しかし、本発明はこれに限定されない。本発明は、載置台に載置された情報端末２に複数種類のサービスを提供するサービス提供装置に広く適用可能である。
【符号の説明】
【００６０】
１：中継装置、  ２：情報端末、  ３：ＷＡＮ、  ４：ＶＰＮ、  ５：ＬＡＮ、  １０：ワイヤレス充電台、１０Ａ、１０Ｂ：充電エリア、  １１：無線インターフェース部、  １２：有線インターフェース部、  １３：充電制御部、  １４：認証・帰属処理部、  １５：載置状態送信部、  １６：提供サービス決定部、  １７：ＷＡＮ接続処理部、  １８：ＶＰＮ接続処理部、  １９：中継制御部、  １０１Ａ、１０１Ｂ：ワイヤレス充電部
【図１】
2014175808.tif 000003
【図２】
2014175808.tif 000004
【図３】
2014175808.tif 000005
【図４】
2014175808.tif 000006
【図５】
2014175808.tif 000007